(57)【要約】【課題】  電子機器のライフサイクル全体や購入時点までの環境負荷をユーザーにわかりやすく表示してその製品の環境負荷をユーザーに正しく理解させる。【解決手段】  ＣＰＵ１３０は、デジタルカメラ１０のライフサイクル全体に亘る全環境負荷ＥTを、このデジタルカメラ１０が含まれる製造ロット毎に演算してＣＯ2排出量に換算し、これをＬＣＤ２２によりユーザに対して表示させる。全環境負荷ＥTは、デジタルカメラ１０を製造する際に生じる製造環境負荷ＥPR、デジタルカメラ１０を製造工場からユーザまで移送する際に生じる物流環境負荷ＥPD及びデジタルカメラ１０を使用する際に生じる使用環境負荷ＥUSに、デジタルカメラ１０を廃棄する際に生じる廃棄環境負荷ＥRJを加算して演算される。【選択図】    図２
2007053433.tif 000002
【特許請求の範囲】
【請求項１】
電子機器のライフサイクル全体に亘る全環境負荷またはその電子機器の素材製造の環境負荷、またはその電子機器の素材製造からユーザーが購入した時点までの環境負荷を記憶する環境負荷記憶手段と、
前記環境負荷記憶手段に記憶された前記環境負荷を任意のタイミングで表示可能とされた環境負荷表示手段と、
を有することを特徴とする電子機器。
【請求項２】
前記環境負荷は、電子機器のライフサイクル全体の環境負荷をいくつかのステージ別に分割したことを特徴とする請求項１記載の電子機器
【請求項３】
前記環境負荷は、製造する際に生じる製造環境負荷、該電子機器を製造工場からユーザへ移送する際に生じる物流環境負荷、該電子機器を廃棄する際に生じる廃棄環境負荷、該電子機器の使用により生じる使用環境負荷のいずれか１つ、または２つ以上を合算したものを含むステージ別環境負荷であることを特徴とする請求項１又は２記載の電子機器。
【請求項４】
前記ステージ別環境負荷をＣＯ2排出量に換算して出力する環境負荷演算手段を有することを特徴とする請求項３記載の電子機器。
【請求項５】
光学系を通して受光部に入射した光像を電子的な画像情報に変換する撮像手段を有し、
前記環境負荷表示手段は、画像表示部に表示される画像を、前記画像情報に対応する撮影画像を表示する画像表示モード及び、前記環境負荷を表示する環境負荷表示モードのどちらか一方に切り替え、又は撮影画像に環境負荷を重ねて表示するモード設定部と、
前記環境負荷表示モードへの切替時に、前記環境負荷記憶手段に記憶された前記環境負荷を示す画像を前記画像表示部により表示させる表示制御部と、
有することを特徴とする請求項１乃至４の何れか１項記載の電子機器。
【請求項６】
前記環境負荷記憶手段には、前記製造環境負荷と、前記物流環境負荷と、前記廃棄環境負荷とが、それぞれ初期値として格納され、
前記環境負荷演算手段は、電子機器の使用に伴う環境負荷の増加量を積算し、該積算値を使用環境負荷として前記環境負荷記憶手段に記憶させると共に、該使用環境負荷を、前記製造環境負荷、前記物流環境負荷及び前記廃棄環境負荷に加算して、前記全環境負荷を演算することを特徴とする請求項３乃至５の何れか１項記載の電子機器。
【請求項７】
前記環境負荷表示手段は、ユーザによる表示要求操作に応じて前記使用環境負荷、前記製造環境負荷、前記物流環境負荷、前記廃棄環境負荷及び前記全環境負荷の少なくとも一つの情報を選択的に表示することを特徴とする請求項６記載の電子機器。
【請求項８】
前記環境負荷表示手段は、電子機器の電源投入時に、前記使用時環境負荷及び電子機器の製造からユーザーが購入した時点までの環境負荷及び前記全環境負荷の少なくとも一つの情報を表示することを特徴とする請求項６又は７記載の電子機器。
【請求項９】
前記環境負荷演算手段は、
外部の情報処理装置と接続可能とされ、該情報処理装置と接続された状態で情報を通信可能とされた情報通信部を有し、
前記情報処理装置により前記情報通信部に入力された設定情報に基づいて、前記使用環境負荷の増加量を演算するための演算係数の設定値を変更可能とされたことを特徴とする請求項６乃至８の何れか１項記載の電子機器。
【請求項１０】
前記環境負荷演算手段は、電子機器における何らかの部品が交換された際に、前記情報処理装置により前記情報通信部に交換部品に対応する交換部品情報が入力されると、該交換部品情報に基づいて交換部品固有の環境負荷を演算し、該環境負荷を前記使用環境負荷に加算すること特徴とする請求項６乃至９の何れか１項記載の電子機器。
【請求項１１】
前記撮像手段による撮像時に画像を記録するために使用される記録画素数の設定値に応じて変化する使用環境負荷の増加量を、記録画素数の設定値毎に表示する負荷増加量表示手段を有することを特徴とする請求項６乃至１０の何れか１項記載の電子機器。
【請求項１２】
前記環境負荷演算手段は、電子機器に着脱可能に装填される電源の種類を検出する電源種類検出部を有し、該記電源種類検出部により検出された電源種類に応じて、電子機器の使用に伴う環境負荷の増加量を演算するための演算係数の設定値を変更可能とされたことを特徴とする請求項６乃至１１の何れか１項記載の電子機器。
【請求項１３】
前記環境負荷演算手段は、前記情報処理装置によりユーザが電子機器を購入した地域に対応する地域情報が入力されると、該地域情報に基づいて前記物流環境負荷を演算し、該演算値を前記環境負荷記憶手段における前記物流環境負荷の初期値に代えて格納することを特徴とする請求項８乃至１１の何れか１項記載の電子機器。
【請求項１４】
ユーザによる記録要求操作に応じて前記ステージ別環境負荷を、画像情報または文字情報として前記環境負荷記憶手段又は外部メモリに記憶させる環境負荷記録手段を有することを特徴とする請求項７乃至１３の何れか１項記載の電子機器。
【発明の詳細な説明】
【技術分野】
【０００１】
本発明は、デジタルカメラ等の電子機器に係り、より詳しくは、使用状況等に応じて増減する環境負荷を演算してユーザ等へ表示する機能を有する電子機器に関する。
【背景技術】
【０００２】
近年、地球資源保護および地球環境保護の観点から、家電製品、ＯＡ機器等の機器を製造するメーカ、これらの機器を使用するユーザに対して地球環境負荷の低減が強く求められるようになってきた。このような環境負荷を定量的に評価する手法としては、例えば、特許文献１に記載されているように、ライフサイクルアセスメント（ＬＣＡ：Life Cycle Assessment）が注目されている。
【０００３】
ＬＣＡとは、製品およびサービスが、資源の採取から製品の製造、物流、使用、廃棄、リサイクルなどのライフサイクル全体にわたって、環境に及ぼす影響を客観的に評価する手法の一つである。ＬＣＡの原則は、国際標準化機構の規格ＩＳＯ１４０４０に明文化され、そのまま日本工業規格（ＪＩＳ Ｑ １４０４０）となっている。ＬＣＡは、製品などの全ライフサイクルの環境負荷の評価及び改善のためのツールとして注目されている。
【０００４】
ところで、デジタルカメラについても、ＬＣＡの手法を適用して環境負荷を定量的に評価することが考えられる。デジタルカメラの場合、製造時の環境負荷（製造環境負荷）については、製造メーカが素材、投入電力量等の環境負荷に影響を与えるファクターを把握し、これらを、例えばＣＯ2の排出量に換算することにより定量的に把握することが可能である。これらを、例えばＣＯ2の排出量に換算することにより定量的に把握することが可能である。その結果をインターネット上で公開するエコリーフ環境ラベル（http://www.jemai.or.jp/CACHE/ecoleaf_news.cfm）という制度も運用されている。また複写機等の基本的に一定の場所に固定された状態で使用される機器については、使用中の環境負荷を測定又は算出し、その結果をユーザに対して表示するという技術（例えば、特許文献１）、使用中の環境負荷を累積してメモリ等にデータとして蓄えておくという技術（例えば、特許文献２）も開示されている。
【０００５】
しかし、電子機器単体では、環境に与える影響を評価する上で重要な、製造から廃棄まで含めた全ライフサイクルの環境負荷や製造からユーザーが購入した時点までの環境負荷を表示するものはなく、ユーザーが購入しようとした時に必要な環境負荷をその場で知ることはできなかった。またデジタルカメラ等の携帯型電子機器については、ユーザの購入場所や使用条件によって環境負荷が異なるが、それによる環境負荷の変化をユーザーが理解することはできなかった。
【特許文献１】特開２００１−３５６６４８号公報
【特許文献２】特開２０００−２４９１９号公報
【発明の開示】
【発明が解決しようとする課題】
【０００６】
本発明の目的は、上記事実を考慮し、電子機器のライフサイクル全体や購入時点までの環境負荷をＣＯ2排出量などに換算して表示しユーザーに環境負荷を正しく理解させることのできる電子機器を提供することにある。
【課題を解決するための手段】
【０００７】
本発明の請求項１に係る電子機器は、電子機器のライフサイクル全体に亘る全環境負荷またはその電子機器の素材製造の環境負荷、またはその電子機器の素材製造からユーザーが購入した時点までの環境負荷を記憶する環境負荷記憶手段と、前記環境負荷記憶手段に記憶された前記環境負荷を任意のタイミングで表示可能とされた環境負荷表示手段と、を有することを特徴とする。
【０００８】
上記請求項１に係る電子機器では、環境負荷表示手段が環境負荷記憶手段に記憶された環境負荷を任意のタイミングで表示可能とされたことにより、ユーザに対してステージ別環境負荷を表示できるので、ユーザの環境意識を高めると共に、環境意識の高いユーザに対しては商品価値を高めることができる。
【０００９】
本発明の請求項２に係る電子機器は、請求項１記載の電子機器において、前記環境負荷は、電子機器のライフサイクル全体の環境負荷をいくつかのステージ別に分割したことを特徴とする。
【００１０】
本発明の請求項３に係る電子機器は、請求項１又は２記載の電子機器において、前記環境負荷は、製造する際に生じる製造環境負荷、該電子機器を製造工場からユーザへ移送する際に生じる物流環境負荷、該電子機器を廃棄する際に生じる廃棄環境負荷、該電子機器の使用により生じる使用環境負荷のいずれか１つ、または２つ以上を合算したものを含むステージ別環境負荷であることを特徴とする。
【００１１】
本発明の請求項４に係る電子機器は、請求項３記載の電子機器において、前記ステージ別環境負荷をＣＯ2排出量に換算して出力する環境負荷演算手段を有することを特徴とする。
【００１２】
上記請求項４に係る電子機器では、環境負荷演算手段が、ステージ別環境負荷をＣＯ2排出量に換算して出力することにより、ユーザに対してステージ別環境負荷をＣＯ2排出量として表示できるので、ユーザが電子機器の環境へ与える影響を容易に、かつ直感的に理解しやすくなる。
【００１３】
本発明の請求項５に係る電子機器は、請求項１乃至４の何れか１項記載の電子機器において、光学系を通して受光部に入射した光像を電子的な画像情報に変換する撮像手段を有し、前記環境負荷表示手段は、画像表示部に表示される画像を、前記画像情報に対応する撮影画像を表示する画像表示モード及び、前記環境負荷を表示する環境負荷表示モードのどちらか一方に切り替え、又は撮影画像に環境負荷を重ねて表示するモード設定部と、
前記環境負荷表示モードへの切替時に、前記環境負荷記憶手段に記憶された前記環境負荷を示す画像を前記画像表示部により表示させる表示制御部と、有することを特徴とする。
【００１４】
上記請求項５に係る電子機器では、表示制御部が、モード設定部による環境負荷表示モードへの切替時に、環境負荷記憶手段に記憶された環境負荷を示す画像を画像表示部により表示させることにより、撮像手段により撮像された撮像画像を表示するための画像表示部を用いて環境負荷を表示できる。
【００１５】
本発明の請求項６に係る電子機器は、請求項３乃至５の何れか１項記載の電子機器において、前記環境負荷記憶手段には、前記製造環境負荷と、前記物流環境負荷と、前記廃棄環境負荷とが、それぞれ初期値として格納され、前記環境負荷演算手段は、電子機器の使用に伴う環境負荷の増加量を積算し、該積算値を使用環境負荷として前記環境負荷記憶手段に記憶させると共に、該使用環境負荷を、前記製造環境負荷、前記物流環境負荷及び前記廃棄環境負荷に加算して、前記全環境負荷を演算することを特徴とする。
【００１６】
上記請求項６に係る電子機器では、環境負荷演算手段が、電子機器の使用に伴う環境負荷の増加量を積算し、この積算値を使用環境負荷として環境負荷記憶手段に記憶させると共に、この使用環境負荷を、初期値として環境負荷記憶手段に格納された製造環境負荷、物流環境負荷及び廃棄環境負荷に加算して、全環境負荷を演算することにより、使用条件により変化（増減）する使用環境負荷及び全環境負荷を精度良く演算できる。
【００１７】
本発明の請求項７に係る電子機器は、請求項６記載の電子機器において、前記環境負荷表示手段は、ユーザによる表示要求操作に応じて前記使用環境負荷、前記製造環境負荷、前記物流環境負荷、前記廃棄環境負荷及び前記全環境負荷の少なくとも一つの情報を選択的に表示することを特徴とする。
【００１８】
上記請求項７に係る電子機器では、ユーザによる表示要求操作に応じて製造環境負荷、物流環境負荷、使用環境負荷、廃棄環境負荷及び全環境負荷の少なくとも一つの情報を表示することにより、ユーザの要求に応じて環境負荷を全環境負荷並びに、使用環境負荷、製造環境負荷、物流環境負荷及び廃棄環境負荷の何れかのステージ毎に選択的に表示できる。
【００１９】
本発明の請求項８に係る電子機器は、請求項６又は７記載の電子機器において、前記環境負荷表示手段は、電子機器の電源投入時に、前記使用時環境負荷及び電子機器の製造からユーザーが購入した時点までの環境負荷及び前記全環境負荷の少なくとも一つの情報を表示することを特徴とする。
【００２０】
上記請求項８に係る電子機器では、環境負荷表示手段が、電子機器の電源投入時に、使用時環境負荷及び電子機器の製造からユーザーが購入した時点までの環境負荷及び前記全環境負荷の少なくとも一つの情報を表示することにより、電子機器の使用開始時に、ユーザに対して環境負荷に対する意識を喚起することができる。
【００２１】
本発明の請求項９に係る電子機器は、前記環境負荷演算手段は、請求項６乃至８の何れか１項記載の電子機器において、前記環境負荷演算手段は、外部の情報処理装置と接続可能とされ、該情報処理装置と接続された状態で情報を通信可能とされた情報通信部を有し、前記情報処理装置により前記情報通信部に入力された設定情報に基づいて、前記使用環境負荷の増加量を演算するための演算係数の設定値を変更可能とされたことを特徴とする。
【００２２】
上記請求項９に係る電子機器では、環境負荷演算手段が、外部の情報処理装置と接続可能とされ、該情報処理装置と接続された状態で情報を通信可能とされた情報通信部を有し、この情報処理装置により前記情報通信部に入力された設定情報に基づいて、使用環境負荷の増加量を演算するための演算係数の設定値を変更可能とされたことにより、外部環境の変化等により使用環境負荷の増加量を演算するための演算係数の設定値が変化した場合でも、変化した演算係数を新たな設定値として環境設定手段に設定できるので、使用環境負荷の演算精度の低下を防止できる。
【００２３】
本発明の請求項１０に係る電子機器は、請求項６乃至９の何れか１項記載の電子機器において、前記環境負荷演算手段は、電子機器における何らかの部品が交換された際に、前記情報処理装置により前記情報通信部に交換部品に対応する交換部品情報が入力されると、該交換部品情報に基づいて交換部品固有の環境負荷を演算し、該環境負荷を前記使用環境負荷に加算すること特徴とする。
【００２４】
上記請求項１０に係る電子機器では、環境負荷演算手段が、電子機器における何らかの部品が交換された際に、情報処理装置により情報通信部に交換部品に対応する交換部品情報が入力されると、この交換部品情報に基づいて交換部品固有の環境負荷を演算し、この環境負荷を使用環境負荷に加算することにより、部品交換に伴う環境負荷の増加を使用環境負荷に反映させることができるので、消耗部品の交換、故障に伴った部品交換を行った場合にも、使用環境負荷の演算精度が低下することを防止できる。また修理をしないで新規に同種の電子機器を購入した場合と修理を行なった場合とで、全体の環境負荷がどのように変化するのか、把握することができるため、ユーザは環境負荷を低減させるために適切な判断をすることができるようになる。
【００２５】
本発明の請求項１１に係る電子機器は、請求項６乃至１０の何れか１項記載の電子機器において、前記撮像手段による撮像時に画像を記録するために使用される記録画素数の設定値に応じて変化する使用環境負荷の増加量を、記録画素数の設定値毎に表示する負荷増加量表示手段を有することを特徴とする。
【００２６】
上記請求項１１に係る電子機器では、負荷増加量表示手段が撮像手段による撮像時に画像を記録するために使用される記録画素数の設定値に応じて変化する使用環境負荷の増加量を記録画素数の設定値毎に表示することにより、ユーザが撮像時に記録画素数の設定値を変化させて撮像しようとする場合に、ユーザに対して記録画素数を必要以上に大きい値に設定せず、必要最小限の記録画素数を設定するように訴求できる。
【００２７】
本発明の請求項１２に係る電子機器は、請求項６乃至１１の何れか１項記載の電子機器において、前記環境負荷演算手段は、電子機器に着脱可能に装填される電源の種類を検出する電源種類検出部を有し、該記電源種類検出部により検出された電源種類に応じて、電子機器の使用に伴う環境負荷の増加量を演算するための演算係数の設定値を変更可能とされたことを特徴とする。
【００２８】
上記請求項１２に係る電子機器では、環境負荷演算手段が、電源種類検出部により検出された電源種類に応じて、電子機器の使用に伴う環境負荷の増加量を演算するための演算係数の設定値を変更可能とされたことにより、電源の交換に伴う環境負荷の増加及び電源種類に応じて異なる電力原単位の変化を使用環境負荷に反映させることができるので、電源の交換を行った場合にも、使用環境負荷の演算精度が低下することを防止できる。
【００２９】
本発明の請求項１３に係る電子機器は、請求項９乃至１２の何れか１項記載の電子機器において、前記環境負荷演算手段は、前記情報処理装置によりユーザが電子機器を購入した地域に対応する地域情報が入力されると、該地域情報に基づいて前記物流環境負荷を演算し、該演算値を前記環境負荷記憶手段における前記物流環境負荷の初期値に代えて格納することを特徴とする。
【００３０】
上記請求項１３に係る電子機器では、環境負荷演算手段が、情報処理装置によりユーザが電子機器を購入した地域に対応する地域情報が入力されると、この地域情報に基づいて物流環境負荷を演算し、この演算値を環境負荷記憶手段における物流環境負荷の初期値に代えて格納することにより、物流環境負荷をユーザの購入地域に応じて補正し、この補正後の物流環境負荷を環境負荷記憶手段における物流環境負荷の初期値に代えて格納できるので、物流環境負荷をより現実の値に近づけることができると共に、この物流環境負荷等に基づいて演算される全環境負荷の演算精度も向上できる。
【００３１】
本発明の請求項１４に係る電子機器は、請求項７乃至１３の何れか１項記載の電子機器において、ユーザによる記録要求操作に応じて前記ステージ別環境負荷を、画像情報または文字情報として前記環境負荷記憶手段又は外部メモリに記憶させる環境負荷記録手段を有することを特徴とする。
【００３２】
上記請求項１４に係る電子機器では、環境負荷記録手段が、ユーザによる記録要求操作に応じて前記全環境負荷、前記使用環境負荷、前記製造環境負荷、前記物流環境負荷及び前記廃棄環境負荷を、画像情報として前記環境負荷記憶手段又は外部メモリに記憶させることにより、電子機器を使用することにより変化する全環境負荷等を、画像情報として前記環境負荷記憶手段又は外部メモリに記憶させることができるので、全環境負荷等の履歴を後日画像として再生して確認できる。
【発明の効果】
【００３３】
以上説明したように、本発明の電子機器によれば、電子機器のライフサイクル全体や購入時点までの環境負荷をＣＯ2排出量などに換算して表示しユーザーに環境負荷を正しく理解させることができる。
【発明を実施するための最良の形態】
【００３４】
以下、本発明の実施形態に係る電子機器であるデジタルカメラについて図面を参照して詳細に説明する。
【００３５】
図１（Ａ）及び（Ｂ）には、本発明の実施形態に係るデジタルカメラ１０が示されている。このデジタルカメラ１０には、外殻部として略箱状に形成された筐体１２が設けられている。筐体１２には、その前面部に撮影レンズ１４、ストロボ発光装置１６、受光素子１７の受光窓等が配置されている。また筐体１２には、上面部にレリーズボタン１８及びステイタスディスプレイ２０が配置されると共に、背面部には画像表示用の液晶ディスプレイ（ＬＣＤ）２２（図２参照）及びファインダー（図示省略）が配置されている。筐体１２には、その底面部に開閉蓋２６が開閉可能に配置されており、筐体１２の内部には、開閉蓋２６に面して電源収容部２８が設けられている。電源収容部２８には、２本の電池３０又はバッテリパック３２（図１（Ｃ）参照）の何れか一方が装置の電源として着脱可能に装填される。ここで、バッテリパック３２は、２本の電池型バッテリ３４が連結部材３６により連結されることにより構成されており、例えば、デジタルカメラ１０をクレードルに装填することにより、又は専用のバッテリチャージャに装填することにより充電可能とされている。
【００３６】
デジタルカメラ１０の使用者は、ステイタスディスプレイ２０でデジタルカメラ１０の各種の設定や状態を視認しつつ、操作スイッチ３８を操作して、デジタルカメラ１０を所定の作動状態とすることができる。また使用者が、ＬＣＤ２２により表示された画像又は背面部のファインダー内の画像を見ながら、レリーズボタン１８を押すと、図示しないシャッターが一定時間開き、画像を撮影することができる。
【００３７】
図２のブロック図にはデジタルカメラ１０の構成が示されている。デジタルカメラ１０の撮影光学系１３は撮影レンズ１４及び絞り１５を含んでいる。撮影レンズ１４は１枚又は複数枚のレンズで構成され、例えば単一の焦点距離（固定焦点）のレンズで構成される。
【００３８】
撮影光学系１３を介してＣＣＤ１１８の受光面に結像された被写体像は、各センサで入射光量に応じた量の信号電荷に変換される。このようにして蓄積された信号電荷は、ＣＣＤ駆動回路１２０から加えられるＣＣＤ駆動パルスによって読み出され、信号電荷に応じた電圧信号（アナログ画像信号）として順次ＣＣＤ１１８から出力される。
【００３９】
ＣＣＤ１１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１１８は、シャッターゲートパルスによって各センサに蓄積される電荷の蓄積時間（シャッタースピード）を制御する、いわゆる電子シャッター機能を有している。
【００４０】
ＣＣＤ１１８から読み出された信号は、ＣＤＳ回路１２２において相関二重サンプリング（ＣＤＳ）処理されるとともに、Ｒ，Ｇ，Ｂの各色信号に色分離処理され、各色信号の信号レベルの調整が行われる。
【００４１】
これら所定のアナログ信号処理を経た画像信号は、Ａ/Ｄ変換器１２４に加えられ、このＡ/Ｄ変換器１２４によりＲ，Ｇ，Ｂのデジタル信号に変換された後、メモリ１２６に一時的に格納される。
【００４２】
タイミング信号発生回路（ＴＧ）１２８は、ＣＰＵ１３０からのコマンドに応じてＣＣＤ駆動回路１２０、ＣＤＳ回路１２２及びＡ/Ｄ変換器１２４に対して適宜のタイミング信号を与えており、各回路はタイミング信号発生回路２８から加えられるタイミング信号により同期して駆動されるようになっている。
【００４３】
ＣＰＵ１３０は、デジタルカメラ１０の各回路を統括制御する制御部であり、バス１３２を介してゲイン調整回路１３４、ガンマ補正回路１３６、輝度・色差信号処理回路（ＹＣ処理回路という。）１３８、圧縮伸張回路１４０、メモリカード１４２のカードインターフェース１４４、ＬＣＤ２２を駆動する表示用ドライバ１４８、画像変換回路１４６及び通信部１５９等と接続されている。
【００４４】
また、ＣＰＵ１３０には、不揮発性のメモリ１５７が接続されている。このメモリ１５７には、後述する制御ルーチンのプログラムや、前述した特性情報等が予め記憶されている。
【００４５】
ＣＰＵ１３０は操作スイッチ３８からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００４６】
操作スイッチ３８には、画像の記録開始の指示を与えるレリーズボタン１８、カメラのモード選択手段（操作スイッチ３８）、ズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。この操作スイッチ３８はカメラ本体（筐体１２）に配設されているが、リモコン送信機としてカメラ本体と分離した構成にすることも可能である。
【００４７】
ＣＰＵ１３０は、ＣＣＤ１１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００４８】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段１５２を介して絞り１６を駆動するとともに、決定したシャッタースピードとなるように電子シャッターによってＣＣＤ１１８の電荷の蓄積時間を制御する。したがって、デジタルカメラ１０の撮影レンズ１４を被写体に向けるだけで、最適な露出調整が行われるとともに、ピント合わせが自動的に行われる。
【００４９】
撮影記録時においては、レリーズボタン１８の「半押し」時に上述した測光動作を複数回繰り返して正確な撮影ＥＶを求め、この撮影ＥＶに基づいて撮影時の絞り値とシャッタースピードを最終的に決定する。そして、レリーズボタン１８の「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１１８から取得される画像信号に基づいて制御する方法の他、周知の測光センサやＡＦ投光／受光センサからなる測距センサ等を用いてもよい。
【００５０】
また、デジタルカメラ１０はストロボ発光装置１６と、調光用の受光素子１７を有し、操作スイッチ３８に含まれるストロボモード設定ボタンの操作に応じて、低輝度時にストロボ発光装置１６を自動的に発光させる「低輝度自動発光モード」、被写体輝度にかかわらずストロボ発光装置１６を発光させる「強制発光モード」、又はストロボ発光装置１６の発光を禁止させる「発光禁止モード」等に設定される。
【００５１】
ＣＰＵ１３０は、ユーザが選択したストロボモードに応じて、ストロボ発光装置１６のメインコンデンサの充電制御や、発光管（例えば、キセノン管）への放電（発光）タイミングを制御するとともに、受光素子１７からの測定結果に基づいて発光停止の制御を行う。受光素子１７はストロボの発光によって照らされる被写体からの反射光を受光し、受光量に応じた電気信号に変換する。受光素子１７の信号は図示せぬ積分回路により積算され、積算受光量が所定の適正受光量に達した時にストロボの発光が停止される。
【００５２】
Ａ/Ｄ変換器１２４から出力されたデータはメモリ１２６に格納されるとともに、積算回路１６０に加えられる。積算回路１６０は、撮影画面を複数のブロック（例えば、８×８の６４個のブロック）に分割し、複数のブロック毎に受入したＧ信号の積算演算を行う。なお、Ｒ、Ｇ、Ｂのデータから輝度信号（Ｙ信号）を生成して、輝度信号の積算演算を行ってもよい。また、積算回路１６０はＡＥ演算回路で兼用することもできる。積算回路１６０で得られた積算値の情報（演算結果）はＣＰＵ１３０に入力される。
【００５３】
ＣＰＵ１３０は積算回路１６０からの情報に基づき、所定のアルゴリズムに従って撮影画面の評価値Ｅを算出し、求めた評価値Ｅを用いてゲイン調整回路１３４におけるゲイン値（増幅率）を決定する。ＣＰＵ１３０は決定したゲイン値に従ってゲイン調整回路１３４におけるゲイン量を制御する。
【００５４】
メモリ１２６に記憶されたＲ、Ｇ、Ｂの画像データはゲイン調整回路１３４に送られ、ここで増幅処理される。増幅処理された画像データは、ガンマ補正回路１３６において、ガンマ補正処理が施された後、ＹＣ処理回路１３８へ送られ、ＲＧＢデータから輝度信号（Ｙ信号）及び色差信号（Ｃr,Ｃb信号）に変換される。なお、ＣＰＵ１３０は、必要に応じてホワイトバランス処理なども行うことができる。
【００５５】
ＹＣ処理回路１３８において生成された輝度・色差信号（ＹＣ信号と略記する）は、メモリ１２６に書き戻される。メモリ１２６に記憶されたＹＣ信号は表示用ドライバ１４８に供給され、所定方式の信号（例えば、ＮＴＳＣ方式のカラー複合映像信号）に変換されてＬＣＤ２２に出力される。ＬＣＤ２２には液晶ディスプレイその他のカラー表示可能な表示装置が用いられる。なお、ＬＣＤ２２はＹＣ信号入力対応のタイプのものを適用してもよいし、ＲＧＢ信号入力タイプのものを適用してもよく、表示装置に対応したドライバが適用される。
【００５６】
ＣＣＤ１１８から出力される画像信号によって画像データが定期的に書き換えられ、その画像データから生成される映像信号がＬＣＤ２２に供給されることにより、ＣＣＤ１１８が捉える画像がリアルタイムに動画像（ライブ画像）として、又はリアルタイムではないが、ほぼ連続した画像としてＬＣＤ２２に表示される。
【００５７】
ＬＣＤ２２は電子ビューファインダーとして利用でき、撮影者はＬＣＤ２２の表示画像又はファインダーによって撮影画角を確認することができる。レリーズボタン１８の押下操作など所定の記録指示（撮影開始指示）操作に呼応して、記録用の画像データの取り込みが開始される。
【００５８】
撮影者が操作スイッチ３８から撮影記録の指示を入力すると、ＣＰＵ１３０は必要に応じて圧縮伸張回路１４０にコマンドを送り、これにより圧縮伸張回路１４０はメモリ１２６上のＹＣデータをＪＰＥＧその他の所定の形式に従って圧縮する。圧縮された画像データは、例えば、カードインターフェース１４４を介してメモリカード１４２に記録される。
【００５９】
本実施の形態のデジタルカメラ１０は、画像データを保存する手段としてメモリカード１４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００６０】
また、再生モード時にはメモリカード１４２から読み出された画像データが圧縮伸張回路１４０によって伸張処理され、表示用ドライバ１４８を介してＬＣＤ２２に出力される。
【００６１】
ＣＰＵ１３０は、バス１３２を介して通信部１５９と接続されている。通信部１５９は、ユーザのパーソナルコンピュータ（ＰＣ）又はインターネット等の通信網を通して外部データベース（外部ＤＢ）と通信するためのインターフェースであり、例えばＵＳＢ（Universal Serial Bus）や、ＩＥＥＥ１３９４等のインターフェースを用いることができる。ＣＰＵ１３０は、通信部１５９を介して及び外部ＤＢ１５４と情報の授受を行うことができる。
【００６２】
ＣＰＵ１３０は、デジタルカメラ１０のライフサイクル全体に亘る全環境負荷ＥTを、このデジタルカメラ１０が含まれる製造ロット毎に演算してＣＯ2排出量として出力する環境負荷演算手段としての機能を有している。
【００６３】
ここで、全環境負荷ＥTは、デジタルカメラ１０を製造する際（製造ステージ）に生じる製造環境負荷ＥPR、デジタルカメラ１０を製造工場からユーザまで移送する際（物流ステージ）に生じる物流環境負荷ＥPD及びデジタルカメラ１０を使用する際（使用ステージ）に生じる使用環境負荷ＥUSに、デジタルカメラ１０を廃棄する際（廃棄ステージ）に生じる廃棄環境負荷ＥRJを加算して演算される。これら各ステージの環境負荷ＥPR、ＥPD、ＥRJ、使用環境負荷ＥUSは、それぞれ地球環境に対する影響を定量的かつ客観的に評価可能とするためＣＯ2の排出量に換算される。
【００６４】
上記環境負荷のうち、製造環境負荷ＥPR、物流環境負荷ＥPD、廃棄環境負荷ＥRJについては、デジタルカメラ１０が含まれる製造ロット毎に予め標準的なＣＯ２排出量が初期値として製造メーカにより設定されており、これらの環境負荷ＥPR、ＥPD、ＥRJの初期値は、デジタルカメラ１０の不揮発性メモリ１５７に設けられた環境負荷テーブル１５０にそれぞれ格納されている。またＣＰＵ１３０は、デジタルカメラ１０の使用に伴う環境負荷の増加量を積算し、この積算値を使用環境負荷ＥUSとして格納済みの値に代えてメモリ１５７に記憶させると共に、使用環境負荷ＥUSが所定の単位量以上増加する毎に、増加後の使用環境負荷ＥUSを製造環境負荷ＥPR、物流環境負荷ＥPD及び廃棄環境負荷ＥRJに加算して全環境負荷ＥTを演算し、これを格納済みの値に代えてメモリ１５７に記憶させる。
【００６５】
またユーザが操作スイッチ３８からモード切替信号を入力すると、ＣＰＵ１３０は、デジタルカメラ１０の動作状態をＬＣＤ２２により撮影画像が表示可能となっていた画像表示モードからＬＣＤ２２により環境負荷を表示するための環境負荷表示モードに切り替える。これにより、ＣＰＵ１３０は画像変換回路１４６及び圧縮伸張回路１４０にそれぞれ表示命令に対応するコマンドを出力する。このコマンドを受けた画像変換回路１４６は、
ＬＣＤ２２による表示モードを撮影された撮影画像（図３（Ｄ）参照）を表示するための画像表示モードから環境負荷を表示するための環境負荷表示モードに切り替えた後、数値データとしてメモリ１２６に格納された全環境負荷ＥTを画像信号（ＹＣ信号）に変換してドライバ１４８に出力し、全環境負荷ＥTをＬＣＤ２２により表示させる。図３（Ａ）には、ＬＣＤ２２により表示された全環境負荷ＥTを示す表示画像の一例が示されている。
【００６６】
またユーザがＬＣＤ２２により撮影画像が表示中に操作スイッチ３８から環境負荷の表示を要求する信号及び環境負荷種類の選択信号を入力すると、ＣＰＵ１３０は、ＬＣＤ２２により表示されている撮影画像に重畳して選択された環境負荷を表示させる。図４には、ディスプレイ２２により表示された全環境負荷及び撮影画像が重畳された画像の一例が示されている。
【００６７】
ＬＣＤ２２による全環境負荷ＥTの表示後に、ユーザが操作スイッチ３８から表示切替信号を入力すると、ＣＰＵ１３０は、画像変換回路１４６及び圧縮伸張回路１４０にそれぞれステージ毎の環境負荷を表示するためのコマンドを送る。このコマンドを受けた画像変換回路１４６は、数値データとしてメモリ１２６に格納された製造環境負荷ＥPR、物流環境負荷ＥPD、使用環境負荷ＥUS及び廃棄環境負荷ＥRJを１画面に示す画像信号（ＹＣ信号）に変換してドライバ１４８に出力し、ドライバ１４８により各ステージ毎の環境負荷をＬＣＤ２２に表示させる。図３（Ｂ）には、ＬＣＤ２２により表示された製造ステージ、物流ステージ、使用ステージ及び廃棄ステージにおける環境負荷を示す表示画像の一例が示されている。
【００６８】
ＬＣＤ２２によるステージ毎の環境負荷の表示後に、ユーザが操作スイッチ３８から表示切替信号を再入力すると、ＣＰＵ１３０は、ＬＣＤ２２により表示される画像をステージ毎環境負荷（図３（Ｂ））から全環境負荷ＥT（図３（Ａ））に切り替える。またユーザが操作スイッチ３８からモード切替信号を再入力すると、ＣＰＵ１３０は、デジタルカメラ１０の動作状態を環境負荷表示モードから画像表示モードに切り替える。
【００６９】
またＣＰＵ１３０は、デジタルカメラ１０の電源投入時に、デジタルカメラ１０の動作状態を環境負荷表示モードとする。これにより、デジタルカメラ１０の電源投入直後の時点では、ＬＣＤ２２には必ず全環境負荷ＥTを示す画像が表示される。
【００７０】
（製造環境負荷の算出方法）
次に、製造環境負荷ＥPRの算出方法の一例について説明する。デジタルカメラ１０の製造環境負荷ＥPRは、デジタルカメラ１０を形成する素材を製造し、これらの素材に加工等の処理を施して部品にするために必要となる環境負荷（素材環境負荷）と、これらの部品を組み立ててデジタルカメラ１０を完成させるために必要となる環境負荷（ライン環境負荷）とに大別され、これらを合算することにより算出される。
【００７１】
ここで、素材環境負荷は、製品（デジタルカメラ１０）を構成する全ての部品について、その質量、材料原単位、加工原単位及び組立原単位を用いて下記（表１）に示すように算出する。
【００７２】
【表１】
2007053433.tif 000003
【００７３】
ライン環境負荷は、デジタルカメラ１０を製造する製造ラインにおいて使用するエネルギと排出されるエネルギのそれぞれ原単位を用いて、下記（表２）に示すように算出する。
【００７４】
【表２】
2007053433.tif 000004
【００７５】
なお、素材環境負荷及びライン環境負荷は、製造工場が異なったり、製造工場での基本的な製造単位である製造ロットが異なると、この製造ロット毎に消費エネルギ、原単位等も変化することがあり、製造環境負荷ＥPRも異なったものになることがある。
【００７６】
（物流環境負荷の算出方法）
次に、物流環境負荷ＥPDの算出方法の一例について説明する。デジタルカメラ１０の物流環境負荷ＥPDは、重量Ｗ（ｔ）の製品（デジタルカメラ１０）及び、梱包材等の付帯物をメーカの製造工場から目的地まで搬送する場合には、次の（１）式及び（２）式により算出される。
【００７７】
物流負荷量  ＝  輸送距離×Ｗ／製品の積載個数・・・（１）
物流環境負荷＝物流負荷量×物流原単位・・・（２）
ここで、輸送距離は、本来的には、製造工場から目的地（小売店へデジタルカメラ１０を出荷する物流センター、大規模小売店の倉庫、卸売り業者の倉庫等の場所）までの距離である、本実施形態に係るデジタルカメラ１０の場合には、デジタルカメラ１０の出荷先（国内の物流拠点、輸出国の物流拠点等）に応じて、メーカの製造工場からデジタルカメラ１０の出荷先までの平均的な距離が予めメモリ１５７に初期値として格納されている。
【００７８】
（使用環境負荷の算出方法）
次に、使用環境負荷ＥUSの算出方法の一例について説明する。デジタルカメラ１０の使用環境負荷ＥUSは、基本的に、デジタルカメラ１０の使用に伴って消費される電力量基づいて、下記（表３）に示されるように算出される。
【００７９】
【表３】
2007053433.tif 000005
【００８０】
ＣＰＵ１３０は、（表３）に示される消費エネルギ（消費電力）を算出する際には、下記（表４）に示されるように、デジタルカメラ１０の動作モード毎の消費電力に基づいて演算を行う。この動作モード毎の消費電力はメモリ１５７に予め格納されている。
【００８１】
【表４】
2007053433.tif 000006
【００８２】
また使用環境負荷ＥUSは、デジタルカメラ１０を構成する何らかの部品が交換されると、その交換部品の製造に要した環境負荷が加算されることになる。交換部品としては、電池３０、バッテリパック３２等の消耗部品及び、デジタルカメラ１０の故障に伴って交換された場合の修理用部品が含まれる。
【００８３】
デジタルカメラ１０は、電源収容部２８に装填されていた古い電池３０又はバッテリパック３２が新しい電源に交換される際に、例えば、バッテリパック３２の連結部材３６の有無をセンサ（図示省略）により検出することにより、電源が電池３０及びバッテリパック３２の何れかであるかを判断できるようになっている。このとき、ＣＰＵ１３０は、電源の種類に応じて設定された環境負荷をメモリ１５７に格納（積算）されている使用環境負荷ＥUSに加算する。またＣＰＵ１３０は、電源収容部２８に装填された電源の種類が変化した場合、電池３０の電力原単位とバッテリパック３２の電力原単位とが異なることから、メモリ１５７から電源種類に対応する電力原単位を読み取り、この電力原単位を用いて使用環境負荷ＥUSを演算する。
【００８４】
またデジタルカメラ１０のメーカのサービスセンター等で部品交換を伴う修理が行われる場合には、サービスセンター等では、交換部品に対応する環境負荷をメモリ１５７に格納されている使用環境負荷ＥUSに加算する。このとき、修理作業を行う作業者は、ＵＳＢケーブル等を通してデジタルカメラ１０の通信部１５９を外部のＰＣに接続することにより、メモリ１５７にアクセス可能になり、このアクセス状態で、メモリ１５７の環境負荷テーブル１５０に格納されている使用環境負荷ＥUSに交換部品に対応する環境負荷を加算することができる。
【００８５】
デジタルカメラ１０では、撮像時における使用画素数の設定をユーザが変更した場合、ＣＰＵ１３０がメモリ１５７から撮像時に画像を記録するために使用される記録画素数の設定値に応じて変化する使用環境負荷の増加量に対応する情報を読み取り、この記録画素数の設定値毎の環境負荷の増加量をＬＣＤ２２より表示させる。このとき、ＬＣＤ２２に表示される記録画素数の設定値毎の使用環境負荷の増加量（メモリ１５７に格納された使用環境負荷ＥUSへの加算値）に対応する画像の一例を図２（Ｃ）に示す。
【００８６】
（廃棄環境負荷の算出方法）
次に、廃棄環境負荷ＥRJの算出方法の一例について説明する。デジタルカメラ１０の廃棄環境負荷ＥRJは、デジタルカメラ１０の廃却方法によって異なるものとなり、下記（表４）に示されるように算出される。
【００８７】
【表５】
2007053433.tif 000007
【００８８】
ユーザがデジタルカメラ１０を廃棄する際には、ユーザは、デジタルカメラ１０に対して（表４）に示される何れかの廃却方法を設定可能とされており、廃却方法を設定することにより、ＣＰＵ１３０は、メモリ１５７の環境負荷テーブル１５０に設定されている廃棄環境負荷ＥRJを廃却方法に対応する値に書き換える。なお、廃棄方法選択前の初期値としては、図２（Ｂ）に示されるように、０．００ｋｇ−ＣＯ2が環境負荷テーブル１５０に格納されている。ここで、廃棄環境負荷ＥRJは、リサイクルを選択した場合に最も小さくなることから、ユーザに対してリサイクルを廃却方法として選択することを強く訴求できる。
【００８９】
またユーザは、デジタルカメラ１０の購入後に、ＰＣにドライバ等のユーティリティソフトをインストールした後、デジタルカメラ１０をＰＣに接続すると、ユーティリティソフトによりデジタルカメラ１０の購入地域及び主な使用地域を入力するように求められる。ユーザがＰＣを介して購入地域及び使用地域をＣＰＵ１３０へ入力すると、ＣＰＵ１３０は、入力された使用地域に応じてバッテリパック３２を使用する際の電力原単位Ｆを変更する。これは、使用地域（日本又は外国の電力会社）が異なると電力原単位Ｆが変化することによる。またＣＰＵ１３０は、入力された購入地域に応じて物流環境負荷ＥPDを演算する際に使用される輸送距離（表３参照）を初期値から実距離の概算値に変更し、この実距離の概算値に基づいて物流環境負荷ＥPDを再演算し、メモリ１５７に格納する。
【００９０】
またデジタルカメラ１０では、ユーザがある時点における全環境負荷ＥT及びステージ毎の環境負荷を記録として残したい場合に、これらの環境負荷を画像情報としてメモリカード１４２及びメモリ１５７の一方又は双方に記録することが可能になっている。
【００９１】
ユーザは、全環境負荷ＥT及びステージ毎の環境負荷を画像として記録したい場合、ユーザは、操作スイッチ３８に対して環境負荷の画像出力操作を行い、操作スイッチ３８からＣＰＵ１３０に画像出力コマンドを入力する。これにより、ＣＰＵ１３０は、メモリ１５７に格納されている全環境負荷ＥＴ及び各ステージ毎の環境負荷（製造環境負荷ＥPR、物流環境負荷ＥPD、使用環境負荷ＥUS及び廃棄環境負荷ＥRJ）に対応する情報を圧縮伸張回路１４０によりＪＰＥＧその他の所定の形式に従って圧縮し、圧縮された画像データをメモリ１５７及びメモリカード１４２の一方又は双方に記録する。この画像情報の記録先は、ユーザが操作スイッチ３８を操作することにより選択可能となっている。
【００９２】
この結果、デジタルカメラ１０では、例えば、デジタルカメラ１０をＰＣに接続すれば、メモリ１５７又はメモリカード１４２からＰＣへ全環境負荷等ＥT及び使用環境負荷ＥUSを含むステージ別の環境負荷を示す画像情報が出力可能になるので、デジタルカメラ１０を使用することにより変化する全環境負荷等ＥT及びステージ別の環境負荷の履歴を後日画像としてＰＣのディスプレイにより再生して後日確認できる。またメモリ１５７又はメモリカード１４２からＰＣを介して、又は直接プリンタ等の画像記録装置へ全環境負荷等ＥT及び使用環境負荷ＥUSを含むステージ別の環境負荷を示す画像情報を出力し、これらを記録紙等の記録媒体上に記録することによっても、これらの環境負荷の履歴を後日確認できる。
【００９３】
本実施形態に係るデジタルカメラでは、ユーザが操作スイッチ３８に対して所定の操作を行うことにより、メモリ１５７に記憶された全環境負荷ＥT及びステージ毎の環境負荷（製造環境負荷ＥPR、物流環境負荷ＥPD、廃棄環境負荷ＥRJ及び使用環境負荷ＥUS）をＬＣＤ２２に表示可能とされたことにより、ユーザに対して全環境負荷ＥＴ及びステージ毎の環境負荷を表示できるので、ユーザの環境意識を高めると共に、環境意識の高いユーザに対しては商品価値を高めることができる。
【００９４】
またデジタルカメラ１０では、ＣＰＵ１３０がデジタルカメラ１０の使用に伴う環境負荷の増加量を積算し、この積算値を使用環境負荷ＥUSとしてメモリ１５７に記憶させると共に、この使用環境負荷ＥUSをメモリ１５７に格納された製造環境負荷ＥPR、物流環境負荷ＥPD及び廃棄環境負荷ＥRJに加算して、全環境負荷ＥTを演算することにより、使用条件により変化（増減）する使用環境負荷ＥUS及び全環境負荷ＥTをそれぞれ精度良く演算できる。
【００９５】
またデジタルカメラ１０では、その電源投入時に、ＬＣＤ２２により全環境負荷ＥT及びステージ毎の環境負荷が表示されることにより、デジタルカメラの使用開始時にユーザに対して環境負荷に対する低減意識を喚起することができる。
【００９６】
またデジタルカメラ１０では、ＣＰＵ１３０が外部のＰＣと接続可能とされ、ＰＣにより使用環境負荷ＥUSの増加量を演算するための電力原単位Ｆの設定値を変更可能とされたことにより、外部環境の変化等により使用環境負荷の増加量を演算するための電力原単位Ｆの設定値が変化した場合でも、変化した電力原単位Ｆを新たな設定値として設定できるので、使用環境負荷ＥUSの演算精度の低下を防止できる。
【図面の簡単な説明】
【００９７】
【図１】（Ａ）は本発明の実施形態に係るデジタルカメラの外観を示す斜視図、（Ｂ）は（Ａ）に示されるデジタルカメラの底面部を示す平面図、（Ｃ）はデジタルカメラの電源収容部に着脱可能に装填されるバッテリパックの構成を示す斜視図である。
【図２】図１に示されるデジタルカメラの構成を示すブロック図である。
【図３】図１に示されるデジタルカメラの画像表示ディスプレイ（ＬＣＤ）に表示される全環境負荷、ステージ毎の環境負荷及び使用環境負荷への加算値にそれぞれ対応する画像並びに撮影画像を示す平面図である。
【図４】図１に示されるデジタルカメラの画像表示ディスプレイ（ＬＣＤ）に表示される全環境負荷及び撮影画像を重畳した画像を示す平面図である。
【符号の説明】
【００９８】
１０      デジタルカメラ
２２      画像表示ディスプレイ（環境負荷表示手段、負荷増加量表示手段）
３０      電池（電源）
３２      バッテリパック（電源）
３８      操作スイッチ
１３０    ＣＰＵ（環境負荷演算手段、表示制御部、環境負荷記録手段）
１４２    メモリカード（外部メモリ）
１４４    カードインターフェース（環境負荷記録手段）
１４６    画像変換回路（表示制御部）
１４８    表示用ドライバ（環境負荷表示手段）
１５０    環境負荷テーブル（環境負荷記憶手段）
１５７    メモリ（環境負記憶示手段）
１５９    通信部（情報通信部）
【図１】
2007053433.tif 000008
【図２】
2007053433.tif 000009
【図３】
2007053433.tif 000010
【図４】
2007053433.tif 000011